(57)【要約】【課題】デマンド制御中の快適性向上を図る空気調和機を提供すること。【解決手段】本発明の空気調和機は、除霜運転時は一定の除霜運転最大時間が経過するまで除霜運転を行うか、室外熱交換器４の温度が所定の温度以上となるまで除霜運転を行い、デマンド信号を受信したときに運転電流値の合計を抑制する空気調和機であって、除霜運転時に前記デマンド信号を受信した場合は、除霜運転最大時間を延長することにより、除霜運転時間を延ばすことができるため、着霜した霜をより効果的に溶かすことができる。【選択図】図１
2013133977.tif 000002
【特許請求の範囲】
【請求項１】
除霜運転時は一定の除霜運転最大時間が経過するまで除霜運転を行うか、室外熱交換器の温度が所定の温度以上となるまで除霜運転を行い、デマンド信号を受信したときに運転電流値の合計を抑制する空気調和機であって、除霜運転時に前記デマンド信号を受信した場合は、除霜運転最大時間を延長することを特徴とする空気調和機。
【請求項２】
前記デマンド信号によって規制される運転電流値によって、前記除霜運転最大時間を変更することを特徴とする請求項１に記載の空気調和機。
【発明の詳細な説明】
【技術分野】
【０００１】
本発明は、空気調和機のデマンド制御に関する。
【背景技術】
【０００２】
従来から、デマンド信号を用いることによって総電流量を抑制する空気調和機が提案されている（例えば、特許文献１参照）。
【先行技術文献】
【特許文献】
【０００３】
【特許文献１】特開平１０−１２２６２７号公報
【発明の概要】
【発明が解決しようとする課題】
【０００４】
しかしながら、前記従来の構成では、除霜運転時にデマンド信号を受信した場合、運転電流値の上限規制がかかり、圧縮機周波数が下がるため、除霜運転最大時間を満たしても、室外熱交換器に着霜した霜を完全にとかすことができず、長時間暖房運転した場合、室外熱交換器に霜が堆積して、室内機からの吹出空気温度が下がり、快適性が悪化するという課題を有していた。
【０００５】
本発明は、前記従来の課題を解決するもので、デマンド制御中の快適性向上を図る空気調和機を提供することを目的とする。
【課題を解決するための手段】
【０００６】
前記従来の課題を解決するために、本発明の空気調和機は、除霜運転時は一定の除霜運転最大時間が経過するまで除霜運転を行うか、室外熱交換器の温度が所定の温度以上となるまで除霜運転を行い、デマンド信号を受信したときに運転電流値の合計を抑制する空気調和機であって、除霜運転時に前記デマンド信号を受信した場合は、除霜運転最大時間を延長することにより、除霜運転時間を延ばすことができるため、着霜した霜をより効果的に溶かすことができる。
【発明の効果】
【０００７】
本発明は、デマンド制御中の快適性向上を図る空気調和機を提供することができる。
【図面の簡単な説明】
【０００８】
【図１】本発明の実施の形態１における除霜運転の制御概略図
【図２】同実施の形態１における除霜運転の制御概略図
【図３】同実施の形態１における空気調和機の冷凍サイクル図
【発明を実施するための形態】
【０００９】
第１の発明の空気調和機は、除霜運転時は一定の除霜運転最大時間が経過するまで除霜運転を行うか、室外熱交換器の温度が所定の温度以上となるまで除霜運転を行い、デマンド信号を受信したときに運転電流値の合計を抑制する空気調和機であって、除霜運転時にデマンド信号を受信した場合は、除霜運転最大時間を延長することにより、除霜運転時間を延ばすことができるため、着霜した霜をより効果的に溶かすことができる。
【００１０】
第２の発明の空気調和機は、特に第１の発明において、デマンド信号によって規制される運転電流値によって、除霜運転最大時間を変更することにより、運転電流値の上限規制
の異なるデマンド信号を除霜運転時に受信した場合、除霜周波数がかなり下がっても、除霜運転時間がさらに長くなるため、室外熱交換器に着霜した霜を完全にとかすことができ、長時間暖房運転しても、除霜運転後は室内機からの吹出空気温度が下がらず、快適性の向上を図ることができる。
【００１１】
以下、本発明の実施の形態について、図面を参照しながら説明する。なお、この実施の形態によって本発明が限定されるものではない。
【００１２】
（実施の形態１）
図１および図２は、本発明の第１の実施の形態における除霜運転の制御概略図、図３は、本発明の第１の実施の形態における空気調和機の冷凍サイクル図である。
【００１３】
図３に示すように、空気調和機本体１は、圧縮機２、冷媒の循環方向を切り換える四方弁３、室外熱交換器４、前記冷媒の流量を制御する膨張弁５、冷媒配管７および室内熱交換器６等で構成され、室内機１６と室外機１９に分かれている。
【００１４】
また、室外熱交換器４を通過する空気流を発生させる室外ファン１０、室内熱交換器６を通過する空気流を発生させる室内ファン１２を備える。
【００１５】
また、圧縮機２の冷媒流出側に設けられる吐出温度検出手段９、室外熱交換器４の所定位置に設けられる室外熱交温度検出手段１１、室外熱交換器４の風上側の所定位置に設けられる室外吸込温度検出手段８、室内熱交換器６の所定位置に設けられる室内熱交温度検出手段１３、室内熱交換器６の風上側の所定位置に設けられる室内吸込温度検出手段１４を有する。なお、それぞれの温度検出手段は温度サーミスタで構成される。
【００１６】
また、リモコン１７の信号（デマンド制御信号）を受信する室内制御器１５、室内制御器１５と通信を行う室外制御器１８を有する。
【００１７】
そして、暖房時外気温が低い場合、室外熱交換器４で凝縮した凝縮水は徐々に室外熱交換器４に着霜し始めるため四方弁３を切替え冷房運転し、室外熱交換器４に着霜した霜をとかす。このとき、除霜運転は、室外熱交温度検出手段１１の温度が所定の温度（例えば、１℃）以上を検出するか、最大除霜運転時間Ｔ（例えば、６０分）を経過するまで実施される。
【００１８】
以上のように構成された空気調和機において、除霜運転時にデマンド信号を受信した場合は、通常の除霜運転最大時間ＴからＴ１（＞Ｔ）へと変更する。
【００１９】
それによって、運転電流値の上限規制（例えば、通常電流値Ｉの７５％）がかかり、除霜周波数が通常の運転時の周波数ＨからＨ１（＜Ｈ）に下がっても、除霜運転時間が長くなるため、室外熱交換器４に着霜した霜を完全にとかすことができ、長時間暖房運転しても、除霜運転後は室内機１６からの吹出空気温度が下がらず、快適性の向上を図ることができる。
【００２０】
また、図２に示すように、除霜運転時に運転電流値の上限規制の異なるデマンド信号を受信した場合、運転電流値の上限規制（例えば、通常電流値Ｉの５０％）がかかり、除霜運転最大時間を変更し、除霜運転最大時間の延長（Ｔ２＞Ｔ１）を行うことにより、除霜周波数がかなり下がってもＨ２（＜Ｈ１）、除霜運転時間がさらに長くなる。
【００２１】
このように通常電流値Ｉが制限されればされるほど、最大除霜運転時間Ｔを長くすることによって、霜を完全にとかすことができ、長時間暖房運転しても、除霜運転後は室内機
１６からの吹出空気温度が下がらず、快適性の向上を図ることができる。
【産業上の利用可能性】
【００２２】
以上のように本発明は、１台の室外機に１台の室内機が接続される空気調和機だけではなく、１台の室外機に複数台の室内機が接続されるマルチ型の空気調和機であっても適用することができる。
【符号の説明】
【００２３】
１  空気調和機本体
４  室外熱交換器
【図１】
2013133977.tif 000003
【図２】
2013133977.tif 000004
【図３】
2013133977.tif 000005